(57)【特許請求の範囲】
【請求項１】
溝形鋼製の下弦材と上弦材を、当該上弦材の下端部と、当該下弦材の端部が揃うように組まれた山形の屋根トラスを、両妻方向に複数かつ所定間隔で平行に設置し、前記屋根トラスの両端部をスタッド柱上端の軒桁に固着してなる屋根構造において、前記屋根の軒部に折曲げ部を境として上部傾斜部と下部垂直部を有し、両妻方向に伸長する鋼板製の軒金物を配設して上部傾斜部を屋根トラスの上弦材の上面に当接し、下部垂直部を軒桁を含む軒垂直部に当接し、外方からドリルねじ，ボルト，リベット等，固定金具を打設することで、前記軒金物を前記軒部に固着することを特徴とする建築物の屋根構造。
【請求項２】
溝形鋼製の下弦材と上弦材を、当該上弦材の下端部が、当該下弦材の端部より突出するように組まれた山形の屋根トラスを、両妻方向に複数かつ所定間隔で平行に設置し、前記屋根トラスの両端部をスタッド柱上端の軒桁に固着してなる屋根構造において、前記屋根の軒部に、上部折曲げ部を境として両妻方向に連続して伸長する上部傾斜部と、両妻方向に断続的に伸長する下部垂直部を有し、さらに下部垂直部の下端の下部折曲げ部を境としてその切除部が前記下部垂直部の切除部と揃う位置となるよう、両妻方向に断続的に伸長する下部水平部とを有する軒金物を配設し、前記屋根トラスの上弦材および下弦材を前記切除部に配置して上部傾斜部を屋根トラスの上弦材の上面に当接し、前記軒金物の下側垂直部を、各屋根トラスの間における軒桁の側面に配置し、前記下部水平部を前記軒桁の下面に当てがい、外方からドリルねじ，ボルト，リベット等，固定金具を打設することで、前記軒金物の当接部を前記軒部に固着することを特徴とする建築物の屋根構造。
【請求項３】
前記屋根の棟部に両妻方向に伸長する山形断面の鋼板製棟金物を配設し、この棟金物の両傾斜面を、各屋根トラスの両上弦材の上面に当接し、外方からドリルねじ，ボルト，リベット等，固定金具を打設することで前記棟金物を前記上弦材に固着することを特徴とする請求項１または２に記載の建築物の屋根構造。
【発明の詳細な説明】
【０００１】
【発明の属する技術分野】
本発明は建築物の屋根構造に係り、特に溝形鋼を枠材として用いる鋼製建築物の屋根構造に関するものである。
【０００２】
【従来の技術】
鋼製住宅においては、板厚０．５ｍｍ〜２．３ｍｍ程度の薄鋼板をロ−ルホ−ミングで曲げ加工してなる溝形鋼を枠材として使用し、各枠材間をねじ結合して建物枠を構築している。図４に示すように、この鋼製住宅における山形の屋根トラス１は、溝形鋼製の下弦材２の両端に接合金物３を介して、溝形鋼製の上弦材４の下端が接合され、ドリルねじ，ボルト，リベット等，固定金具５で固定されている。前記左右の上弦材４の上端は、頂部６において、接合金物３を介して、上弦材４の上端ウエブ背面が接合され、ドリルねじ，ボルト，リベット等，固定金具５で固定されている。また、屋根トラス１の頂部６と下弦材２の間に束部材７が架設され、２つの上弦材４と下弦材２の間に複数のラチス材８が架設され、その枠組みが補強されている。屋根トラス１の下弦材２の上端は、スタッド柱１０の上端の軒桁１１に固定される。
【０００３】
前述の下弦材２と上弦材４で構成される２等辺３角形の屋根トラス１は両妻方向に複数平行に、かつ所定間隔で配設され、各屋根トラス１の頂部６間は、図５に示すようにリップ付き溝形鋼製の棟つなぎ１２が、各屋根トラス１における両上弦材４の端部に、アングル金物１４を介してドリルねじ，ボルト，リベット等，固定金具５により固定して設けられる。
【０００４】
また、図６に示すように、屋根トラス１の軒部、つまり下弦材２の両端と、上弦材４の下端部が接合金物３を介してドリルねじ，ボルト，リベット等，固定金具５で固定される部位においては、各屋根トラス１間がリップ付き溝形鋼製の軒部ころび止め１５で連結され、アングル金物１４を用いてドリルねじ５で固着されている。
【０００５】
【発明が解決しようとする課題】
従来の屋根構造においては、屋根トラス１の頂部６において、棟つなぎ１２と、その両端を上弦材４に固着するためアングル金物１４等が必要であり、その取付け手間が大きく、作業性が低下し、ひいては建物製作費のコストアップにつながる欠点があり、さらに上弦材４に取付けられる合板等からなる屋根板１６の頂部取合いが不安定になるという欠点がある。また、屋根トラス１の軒部においても、軒部ころび止め１５の両端を上弦材４に固着するため、前述と同様にアングル金物１４が必要であり、その取付け手間が大きいことによる作業性の低下、ひいては建物製作費のコストアップにつながるという欠点があり、さらに、野地合板の屋根トラス頂部における取合いが不安定であるなどの欠点があった。本発明は前記の課題を解決した建築物の屋根構造を提供することを目的とする。
【０００６】
【課題を解決するための手段】
本発明は、溝形鋼製の下弦材と上弦材を、当該上弦材の下端部と、当該下弦材の端部が揃うように組まれた山形の屋根トラスを、両妻方向に複数かつ所定間隔で平行に設置し、前記屋根トラスの両端部をスタッド柱上端の軒桁に固着してなる屋根構造において、前記屋根の軒部に折曲げ部を境として上部傾斜部と下部垂直部を有し、両妻方向に伸長する鋼板製の軒金物を配設して上部傾斜部を屋根トラスの上弦材の上面に当接し、下部垂直部を軒桁を含む軒垂直部に当接し、外方からドリルねじ，ボルト，リベット等，固定金具を打設することで、前記軒金物を前記軒部に固着することを特徴とする。
また本発明は、溝形鋼製の下弦材と上弦材を、当該上弦材の下端部が、当該下弦材の端部より突出するように組まれた山形の屋根トラスを、両妻方向に複数かつ所定間隔で平行に設置し、前記屋根トラスの両端部をスタッド柱上端の軒桁に固着してなる屋根構造において、前記屋根の軒部に、上部折曲げ部を境として両妻方向に連続して伸長する上部傾斜部と、両妻方向に断続的に伸長する下部垂直部を有し、さらに下部垂直部の下端の下部折曲げ部を境としてその切除部が前記下部垂直部の切除部と揃う位置となるよう、両妻方向に断続的に伸長する下部水平部とを有する軒金物を配設し、前記屋根トラスの上弦材および下弦材を前記切除部に配置して上部傾斜部を屋根トラスの上弦材の上面に当接し、前記軒金物の下側垂直部を各屋根トラスの間において軒桁の側面に配置し、前記下部水平部を前記軒桁の下面に当てがい、外方からドリルねじ，ボルト，リベット等，固定金具を打設することで、前記軒金物の当接部を前記軒部に固着することを特徴とする。
また、前記の各発明において、前記屋根の棟部に両妻方向に伸長する山形断面の鋼板製棟金物を配設し、この棟金物の両傾斜面を、各屋根トラスの両上弦材の上面に当接し、外方からドリルねじ，ボルト，リベット等，固定金具を打設することで前記棟金物を前記上弦材に固着することを特徴とする。
【０００７】
本発明によると、屋根の棟部においては、両妻方向に伸長する鋼板製の棟金物によって、平行配置の複数の山形屋根トラスの頂部間が結合され、従来の棟つなぎとアングル金物が不要となる。また、屋根の軒部においては、軒無し、軒有りのいずれの軒においても軒金物によって平行配置の複数の山形屋根トラスの軒部間が結合され、従来の軒部ころび止めが不要となる。
【０００８】
【発明の実施の形態】
以下本発明の実施形態を図を参照して説明する。なお、従来構造と同一要素には同一符号を付して重複説明を省略する。
【０００９】
図１には、実施形態として、溝形鋼製の下弦材２（他図に示す）と上弦材４を山形に組んでなる屋根トラス１における頂部６が示されており、この頂部６において、接合金物３を介して上弦材４の上端が接合され、ドリルねじ，ボルト，リベット等，固定金具５で固定されている。
【００１０】
前述の屋根トラス１は、両妻方向に複数平行に、かつ所定間隔で配設され、各屋根トラス１の頂部６間は、両妻方向に伸長する山形断面の鋼板製の棟金物１７で結合される。つまり、屋根トラス１の建て方時において、棟金物１７の両傾斜面１８が各屋根トラス１における互いに傾斜する左右の上弦材４の上面に当接され、ドリルねじ５で上弦材４に固着される。棟金物１７は、板厚約１ｍｍのフラットな鋼板を所定形状に切断し、かつ曲げ加工して製作される。
【００１１】
また、棟換気を行う場合において、前記の棟金物１７が障害となる場合は、例えば当該棟金物１７に通気孔を有する鋼板を使用するなどで容易に対応できる。
【００１２】
この実施形態によると、従来の棟つなぎやアングル金物を用いることなく、両妻方向に所定の間隔で配置される屋根トラス１の頂部６間が棟金物１７で結合される。
【００１３】
図２には第１実施形態に係る第１軒金物２０が実施される軒として、屋根トラス１における下弦材２の端部と上弦材４の下端部が揃うように組まれた、軒先がない形式の軒部１９が示されており、この軒部１９において、接合金物３を介して上弦材４の下端部が接合され、ドリルねじ，ボルト，リベット等，固定金具５で固定されている。
【００１４】
第１実施形態において、各屋根トラス１の両端部間は、両妻方向に伸長する鋼板製の第１軒金物２０で結合される。つまり、第１軒金物２０は折曲げ部２３を境として上部傾斜部２１と下部垂直部２２を有し、屋根トラス１の建て方時において、第１軒金物２０の上部傾斜部２１が屋根トラス軒部における上弦材４の上面に当接され、ドリルねじ，ボルト，リベット等，固定金具５で上弦材４に固着される。また、下部垂直部２２が軒部１９、つまり、上弦材４の下端部と下弦材２の端部が結合される部位と、さらにその下側のスタッド柱１０の上端に配置の軒桁１１の側面に当てがわれ、外側からドリルねじ，ボルト，リベット等，固定金具５を打設して、これらの部材に固着される。第１軒金物２０は板厚約１ｍｍのフラットな鋼板を所定形状に切断し、かつ曲げ加工して製作される。
【００１５】
第１実施形態によると、従来の軒部ころび止めやアングル金物を用いることなく、両妻方向に所定の間隔で配設される屋根トラス１の軒部間が、第１軒金物２０で結合される。
【００１６】
図３には第２実施形態に係る第２軒金物２４が実施される軒として、屋根トラス１における上弦材４の下端部が、下弦材２の端部から伸長した軒先有の軒部１９が示されており、この軒部１９において、接合金物３を介して上弦材４の下端が接合され、ドリルねじ，ボルト，リベット等，固定金具５で固定されている。
【００１７】
前述の屋根トラス１における両端部間は、両妻方向に伸長する鋼製の第２軒金物２４で結合される。第２軒金物２４は、上部折曲げ部２５を境として、両妻方向に連続して伸長する上部傾斜部２６と、両妻方向に切除部３０を介して断続的に伸長する下部垂直部２７を有し、さらに、下部垂直部２７の下端の下部折曲げ部２８を境として、その切除部３１が下部垂直部２７の切除部３０と揃う位置となるよう断続的に両妻方向に伸長する下部水平部２９を有した構成とする。
【００１８】
前記第２軒金物２４は、板厚約１ｍｍのフラットな鋼板を当該第２軒金物の展開形状に合わせて切断し、その後、上部折曲げ部２５と下部折曲部２８を介して所定形状に折曲げて構成される。
【００１９】
屋根トラス１の建て方時において、第２軒金物２４の両妻方向に連続して伸長する上部傾斜部２６が、屋根トラス軒部における上弦材４の上面に当接され、ドリルねじ，ボルト，リベット等，固定金具５の打設により固着される。また、このとき、両妻方向に所定間隔で配設される屋根トラス１の上弦材４の下端部と下弦材２は、第２軒金物２４における、前記下部垂直部２７と下部水平部２９のそれぞれの切除部３０，３１に位置する。つまり、下部垂直部２７および下部水平部２９は、前記上弦材４と下弦材２を避けた部位に位置しており、その下部垂直部２７は、互いに間隔を有して隣接配置の屋根トラス下弦材２の間隙を閉鎖し、下部水平部２９は前記軒桁１１の上面に当てがわれ、前記の当接部において外方からドリルねじ，ボルト，リベット等，固定金具５を打設することにより、両部材間が結合される。
【００２０】
第２実施形態によると、第１実施形態と同様に従来の軒部ころび止やアングル金物を用いることなく、第２軒金物２４により、両妻方向に所定の間隔で配設される屋根トラス１の軒部間が結合される。
【００２１】
【発明の効果】
以上説明したように、本発明の建築物の屋根構造によると、その棟部にあっては、製作が容易で簡単な構成の棟金物によって、平行配置の複数の山形屋根トラスの頂部間が結合されるので、従来の棟つなぎやアングル金物が不要となり、部品点数の削減，施工工数の短縮化による大幅な作業効率アップとコスト削減が図られ、かつ野地合板等の取付容易化と安定化が図られる。また軒先無し、軒先有の各軒部にあっては、製作が容易で、簡単な構成の軒金物によって平行配置の複数の山形屋根トラスの軒部間が結合されるので、従来の軒部ころび止めやアングル金物が不要となり、部品点数の削減，施工工数の短縮化による大幅な作業効率アップとコスト削減が図られ、かつ野地合板等の取付容易化と安定化が図られるというすぐれた効果がある。
【図面の簡単な説明】
【図１】  （Ａ）は本発明の実施形態に係る屋根トラスの棟部の斜視説明図、（Ｂ）は棟金物の破断斜視図である。
【図２】  （Ａ）は同じく屋根トラスの軒先無の軒部の斜視説明図、同（Ｂ）は図（Ａ）の第１軒金物の破断斜視図である。
【図３】  （Ａ）は軒先有の軒部の説明図、同図（Ｂ）は同図（Ａ）の第２軒金物の斜視図である。
【図４】  溝形屋根トラスの側面説明図である。
【図５】  図４における屋根トラス頂部の説明図である。
【図６】  屋根トラスの軒部の斜視説明図である。
【符号の説明】
１ 屋根トラス
２ 下弦材
３ 接合金物
４ 上弦材
５ 固定金具
６ 頂部
７ 束部材
８ ラチス材
１０ スタッド柱
１１ 軒桁
１２ 棟つなぎ
１４ アングル金物
１５ 軒部ころび止め
１６ 屋根板
１７ 棟金物
１８ 両傾斜面
１９ 軒部
２０ 第１軒金物
２１ 上部傾斜部
２２ 下部垂直部
２３ 折曲げ部
２４ 第２軒金物
２５ 上部折曲げ部
２６ 上部傾斜部
２７ 下部垂直部
２８ 下部折曲げ部
２９ 下部水平部
３０ 切除部
３１ 切除部
【図１】
0003711202.tif 000002
【図２】
0003711202.tif 000003
【図３】
0003711202.tif 000004
【図４】
0003711202.tif 000005
【図５】
0003711202.tif 000006
【図６】
0003711202.tif 000007